(57)【要約】【課題】効率良く多風量の送気を行うとともに、設置スペースの増大を抑制できる送気システムを提供する。【解決手段】空調システム１は、空気を供給する空調機２と、空調機２から供給される空気を搬送するためのダクト３と、ダクト３内の空気を加圧する加圧ファン４と、ダクト３の延在方向に沿って複数設けられ、ダクト３内の空気の噴射によりダクト３外の空気を誘引し、ダクト３内の空気を誘引されたダクト３外の空気とともに吹き出する誘引吹出口機構５とを備える。そして、誘引吹出口機構５は、ダクト３を貫通して配置される筒部を有し、筒部は、ダクト３内の空気を筒部５１内に噴射させるための開口部を有している。【選択図】図１
2014035107.tif 000002
【特許請求の範囲】
【請求項１】
空気を供給する空気供給装置と、
前記空気供給装置から供給される空気を搬送するためのダクトと、
前記ダクト内の空気を加圧する加圧ファンと、
前記ダクトの延在方向に沿って複数設けられ、前記ダクト内の空気の噴射により前記ダクト外の空気を誘引し、前記ダクト内の空気を誘引された前記ダクト外の空気とともに吹き出す誘引吹出口機構と、を備え、
前記誘引吹出口機構は、前記ダクトを貫通して配置される筒部を有し、
前記筒部は、前記ダクト内の空気を前記筒部内に噴射させるための開口部を有する
ことを特徴とする送気システム。
【請求項２】
前記筒部は、前記筒部の軸方向の一方の側に位置される第１筒と、前記筒部の軸方向の他方の側に位置される第２筒とを有し、
前記開口部は、前記第１筒と前記第２筒との隙間に形成されていることを特徴とする請求項１に記載の送気システム。
【請求項３】
前記筒部は、前記開口部よりも前記筒部内の空気の流れ方向の上流側に、前記ダクト内の空気を前記筒部内に噴射させるための第２開口部を有することを特徴とする請求項１または請求項２に記載の送気システム。
【請求項４】
前記誘引吹出口機構は、前記第２開口部の開口面積を調整する調整部を有することを特徴とする請求項３に記載の送気システム。
【請求項５】
前記ダクトは、該ダクトの延在方向に沿って並んだ複数の短部分を有し、
前記短部分には、前記誘引吹出口機構が少なくとも一つ設けられており、
前記短部分は、前記ダクトの延在方向に沿う軸のまわりで回転させられて前記軸のまわりの円周方向の角度位置が変更可能に構成されていることを特徴とする請求項１乃至請求項４のいずれか一項に記載の送気システム。
【請求項６】
前記ダクトの外表面に、当該ダクト内の空気を噴出するノズルが設置されていることを特徴とする請求項１乃至請求項５のいずれか一項に記載の送気システム。
【請求項７】
前記空気供給装置は、取り入れた空気を調整して供給する空調機であることを特徴とする請求項１乃至請求項６のいずれか一項に記載の送気システム。
【発明の詳細な説明】
【技術分野】
【０００１】
本発明は、送気システムに関し、特に、空気供給装置から供給される空気をダクトにより搬送して吹き出す送気システムに関する。
【背景技術】
【０００２】
空気供給装置としての空調機から供給される調和空気をダクトにより搬送して被空調空間である室内に吹き出す場合、室温との温度差が大きい例えば低温の調和空気を室内に吹き出すと局所的に低温となるおそれがある。これを防止するため、室温との温度差が小さい空気を室内に供給する技術が提案されている。
【０００３】
例えば、室温との温度差が大きい低温の空気を室内からの還気と混合させて室温との温度差が小さい空気とし、混合後の空気を室内に供給する技術がある。しかし、この技術では、混合後の大量の空気を搬送しなければならないため、空気搬送動力の大きい大型の設備が必要となる。
【０００４】
一方、特許文献１には、「外部から送り込まれた供給空気で被空調空間Ｓの空気を誘引混合してその混合空気を被空調空間Ｓへ吹出す本体１を、備える」誘引吹出口が開示されている（段落００１１参照）。
【先行技術文献】
【特許文献】
【０００５】
【特許文献１】特開２０１２−６３０７９号公報
【発明の概要】
【発明が解決しようとする課題】
【０００６】
特許文献１に記載の技術によれば、供給空気量よりも多い風量の送気が可能となる。
しかしながら、特許文献１に記載の技術では、誘引吹出口はダクトの末端に接続される構成となっているため、誘引吹出口の占有スペースの分だけ設備の設置スペースが増大するという課題がある。しかも、誘引吹出口を複数設置する場合には、複数に分岐したダクトの末端にそれぞれ誘引吹出口を設置する必要があり、設置数が増すにしたがって設置スペースのさらなる増大を招く。
【０００７】
本発明は前記事情に鑑みてなされたものであり、本発明の目的は、効率良く多風量の送気を行うとともに、設置スペースの増大を抑制できる送気システムを提供することにある。
【課題を解決するための手段】
【０００８】
前記した目的を達成するために、本発明の送気システムは、空気を供給する空気供給装置と、前記空気供給装置から供給される空気を搬送するためのダクトと、前記ダクト内の空気を加圧する加圧ファンと、前記ダクトの延在方向に沿って複数設けられ、前記ダクト内の空気の噴射により前記ダクト外の空気を誘引し、前記ダクト内の空気を誘引された前記ダクト外の空気とともに吹き出す誘引吹出口機構と、を備え、前記誘引吹出口機構は、前記ダクトを貫通して配置される筒部を有し、前記筒部は、前記ダクト内の空気を前記筒部内に噴射させるための開口部を有することを特徴とする。
【発明の効果】
【０００９】
本発明によれば、効率良く多風量の送気を行うとともに、設置スペースの増大を抑制できる送気システムを提供することができる。
【図面の簡単な説明】
【００１０】
【図１】本発明の送気システムの第１実施形態に係る空調システムの概略斜視図である。
【図２】図１に示される空調システムの正面図である。
【図３】図１に示される空調システムの左側面図である。
【図４】図２のＩＶ−ＩＶ線に沿う要部の断面図である。
【図５】誘引吹出口機構の要部の概略分解斜視図である。
【図６】加圧ファンの制御に関するブロック図である。
【図７】本発明の送気システムの第２実施形態に係る空調システムの概略斜視図である。
【図８】本発明の送気システムの第３実施形態に係る空調システムの概略斜視図である。
【図９】（ａ）（ｂ）は、図８に示されるダクトボックス間の接続構造の例を示す断面図である。
【図１０】(ａ)〜（ｃ）は誘引吹出口機構の軸直角断面形状の変形例を示し、（ｄ）は誘引吹出口機構の配置形態の変形例を示す。
【図１１】筒部の上流側開口端にベルマウスを備えた変形例を示す図である。
【図１２】ダクト内の調和空気を筒部の上流側から下流側に向けて噴出するノズルが設置された変形例を示す図である。
【発明を実施するための形態】
【００１１】
次に、本発明の実施形態について適宜図面を参照しながら詳細に説明する。なお、各図において、共通する部分には同一の符号を付し、重複した説明を適宜省略する。
【００１２】
≪第１実施形態≫
まず、図１〜図６を参照しながら本発明の第１実施形態について説明する。
図１は、本発明の送気システムの第１実施形態に係る空調システムの概略斜視図である。図２は、図１に示される空調システムの正面図である。図３は、図１に示される空調システムの左側面図である。
【００１３】
図１〜図３に示すように、本発明の送気システムの第１実施形態に係る空調システム１は、空気を供給する空気供給装置としての空調機２と、空調機２から供給される空気を搬送するためのダクト３と、ダクト３内の空気を加圧する加圧ファン４と、ダクト３の延在方向に沿って複数設けられる誘引吹出口機構５とを備えている。
【００１４】
空調システム１は、空調機２から供給される空気をダクト３により搬送して誘引吹出口機構５から被空調空間である室内Ｒに吹き出すことができるように構成されている。室内Ｒとしては、例えば、室温との温度差が小さい空気の送風を必要とする恒温室内が挙げられるが、これに限定されるものではなく、工場内や倉庫内等も挙げられる。
【００１５】
空調機２は、室内Ｒの空気を吸込口２１から取り入れ、取り入れた空気を調整して供給する。ここでは、空調機２は、取り入れた空気を冷却して、所定の低温となった調和空気を供給する冷房運転を行う場合について説明する。
【００１６】
空調機２は、蛇腹管２２を介して、ダクト入口部３１に接続されており、このダクト入口部３１の内部に、加圧ファン４が配置されている。但し、加圧ファン４は、ダクト３内の空気を加圧することができれば、任意の部位に配置され得る。なお、ダクト入口部３１は、内部風速を穏やかにして低騒音化した風路３２が形成された消音ボックスとして機能する。
【００１７】
ダクト入口部３１の両側には、ダクト３が接続されており、ダクト入口部３１とダクト３内とは連通している。したがって、加圧ファン４が作動すると、ダクト３内の空気が加圧され、ダクト３内は所定の高静圧に維持され得る。ダクト３、およびダクト入口部３１は、吊り部材１８により梁部材（図示せず）から吊り下げられて支持されている。なお、図２および図３では、吊り部材１８の図示を省略している。
【００１８】
ダクト３は、四角管形状のダクトユニット３４が適宜の個数ねじ締結等により接続されて構成されている。なお、図１〜図３に示すダクト３の長さは、一例であり、ダクトユニット３４を複数継ぎ足すことにより、適宜変更することができる。また、ここでは、一つのダクトユニット３４に、３つの誘引吹出口機構５が設けられている。
【００１９】
図４は、図２のＩＶ−ＩＶ線に沿う要部の断面図である。図５は、誘引吹出口機構の要部の概略分解斜視図である。
図４に示すように、誘引吹出口機構５は、ダクト３内の空気Ａ１の筒部５１内への噴射によりダクト３外の空気Ａ２を誘引し、ダクト３内の空気Ａ１を誘引されたダクト３外の空気Ａ２とともに、図４中の矢印Ｂ方向に混合空気として吹き出すものである。
【００２０】
図４および図５に示すように、誘引吹出口機構５は、ダクト３の延在方向と略直交する方向にダクト３を貫通して配置される筒部５１を有している。ダクト３には、筒部５１を装着するための取付孔３５，３６が形成されている。そして、筒部５１は、ダクト３内の空気Ａ１を、筒部５１内の空気の流れ方向下流側に向けて筒部５１の内面に沿うように筒部５１内に噴射させるための開口部５４を有している。
【００２１】
筒部５１は、筒部５１の軸方向の一方の側である筒部５１内の空気の流れ方向の上流側に位置される第１筒５２と、筒部５１の軸方向の他方の側である筒部５１内の空気の流れ方向の下流側に位置される第２筒５３とを有している。そして、前記した開口部５４は、第１筒５２と第２筒５３との隙間に形成されている。
【００２２】
筒部５１の第１筒５２は、円筒形状を呈する円管部５６と、円管部５６の筒部５１内の空気の流れ方向の下流側に接続される接続管部５８と、円管部５６の筒部５１内の空気の流れ方向の上流側に形成される円盤状の第１フランジ部５９とを有している。
【００２３】
筒部５１は、前記した開口部５４よりも筒部５１内の空気の流れ方向の上流側に、ダクト３内の空気Ａ１を筒部５１内に噴射させるための第２開口部５５を有している。第２開口部５５は、具体的には、第１筒５２の円管部５６の外周面において、筒部５１内の空気の流れ方向の上流側に形成された複数の貫通孔から構成される。貫通孔の形状は、ここでは円形であるが、長円、矩形等の他の形状であってもよい。
【００２４】
また、誘引吹出口機構５は、第２開口部５５の開口面積を調整する調整部６５を有している。この調整部６５は、円筒形状を呈するスライド部材６６と、筒部５１の軸方向におけるスライド部材６６の位置を調整する調整ねじ６７とを備えている。スライド部材６６の外周面上には、円周方向の複数個所にＬ字形状の金具６８が溶接等により固定されており、金具６８には、調整ねじ６７の先端部が挿通される貫通孔６９（図５参照）が形成されている。調整ねじ６７は、後記する気流ガイド部材６０の取付フランジ部６２の端面に形成された貫通孔（図示せず）の同軸位置に溶接等により固定されたナット７０に螺合され、第１フランジ部５９に形成された貫通孔７４（図５参照）を挿通して延伸している。そして、調整ねじ６７の先端部に固定された一対の鍔付きのカラー部材７１の間に、金具６８の貫通孔６９が形成された部分が位置されている。これにより、調整ねじ６７の先端部と金具６８とは、相対的に回転自在である一方、軸方向の相対位置が規制されるように係合される。したがって、調整ねじ６７を回転させることにより、ねじ送り作用によって調整ねじ６７がその軸方向に移動する結果、スライド部材６６が筒部５１の軸方向に移動して第２開口部５５の開口面積を調整することができる。なお、前記した調整部６５の構成は一例であり、これに限定されるものではない。
【００２５】
さらに、誘引吹出口機構５は、第２開口部５５から噴出されたダクト３内の空気Ａ１を、筒部５１内の空気の流れ方向下流側に向けて筒部５１の内面に沿うように案内する気流ガイド部材６０を備えている。気流ガイド部材６０は、第２開口部５５の内方の対向する位置に配置される円筒形状を呈するガイド部６１と、ガイド部６１の筒部５１内の空気の流れ方向の上流側に形成される円盤状の取付フランジ部６２とを有している。
【００２６】
気流ガイド部材６０と第１筒５２とは、ねじ部材７３（図４参照）を取付フランジ部６２の貫通孔７５（図５参照）と第１フランジ部５９の貫通孔７６（図５参照）とに挿通させ断熱シート７２を介してダクト３に形成された例えば下孔にねじ込むことにより、ダクト３に固定されている。なお、図４中の符号３７はグラスウール等の断熱材を示す。
【００２７】
第１筒５２の接続管部５８は、ねじ部材５７（図４参照）を円管部５６の筒部５１内の空気の流れ方向の下流側端部に形成された貫通孔７７（図５参照）に挿通させ接続管部５８に形成された例えば下孔にねじ込むことにより、円管部５６に固定されている。なお、ねじ部材５７による接続管部５８の円管部５６への固定は、第１筒５２の円管部５６と第２筒５３とをダクト３に設置した後に行われるようになっており、組立作業が容易となっている。
【００２８】
一方、筒部５１の第２筒５３は、テーパ形状（円錐形状）を呈し筒部５１内の空気の流れ方向の下流側に向かって拡径する拡管部８１と、拡管部８１の筒部５１内の空気の流れ方向の下流側に形成される円盤状の第２フランジ部８２とを有している。拡管部８１のテーパ角度αは、適宜設定され得る。
【００２９】
第２筒５３は、ねじ部材８３（図４参照）を第２フランジ部８２の貫通孔８４（図５参照）に挿通させ断熱シート７２を介してダクト３に形成された例えば下孔にねじ込むことにより、ダクト３に固定されている。
【００３０】
第１筒５２の接続管部５８の外周面と第２筒５３の拡管部８１の内周面との間には、セパレータ８５が配置されている。セパレータ８５は、例えば直径が開口部５４の半径方向の隙間寸法に等しい円柱形状を呈しており、円周方向の複数個所に設置される。これにより、開口部５４の半径方向の隙間寸法が正確に設定される。但し、セパレータ８５の形状は、円柱形状に限定されるものではなく、例えば帯板形状等の他の形状であってもよい。
【００３１】
図６は、加圧ファンの制御に関するブロック図である。
図６に示すように、ファン制御部１０は、室内Ｒ（図３参照）の所定の位置に設置された室温センサ１１と接続されている。また、ファン制御部１０は、モータドライバ４２を介して、加圧ファン４（図１参照）を回転させるファンモータ４１と接続されている。ここで、ファン制御部１０は、室温が目標温度となるように、室温センサ１１の検出値に応じて加圧ファン４の回転速度（回転数）を制御できる構成とされている。なお、ファン制御部１０は、例えば空調機２の内部に設置されている。
【００３２】
次に、前記のように構成された第１実施形態の作用について説明する。
図１に示すように、空調システム１が起動されると、空調機２は、吸込口２１から取り入れた室内Ｒの空気を冷却して低温の調和空気をダクト入口部３１に向けて供給する。また、加圧ファン４は、空調機２から供給された調和空気をダクト３内に送り込むとともに、ダクト３内の空気を加圧してダクト３内を所定の高静圧に設定する。
【００３３】
すなわち、図４に示すように、ダクト３の延在方向と略直交する方向にダクト３を貫通して配置される誘引吹出口機構５の筒部５１の外周面側の周囲は高静圧となる。高静圧となったダクト３内の空気Ａ１は、開口部５４を通過して、筒部５１内に噴射される。この開口部５４からのダクト３内の空気Ａ１の噴射により、筒部５１の上流側開口端からダクト３外の空気Ａ２である室内空気が筒部５１内に誘引され、ダクト３内の空気Ａ１である調和空気は、誘引されたダクト３外の空気Ａ２とともに、図４中の矢印Ｂ方向に筒部５１の下流側開口端から混合空気として吹き出される。このようにして、調和空気の供給量よりも多い風量の混合空気の送気が行われる。
【００３４】
そして、開口部５４よりも上流側に位置する第２開口部５５からも、高静圧となったダクト３内の空気Ａ１が筒部５１内に噴射され、気流ガイド部材６０により下流側に向かうように案内される。この第２開口部５５からの噴射によっても、ダクト３外の空気Ａ２である室内空気が筒部５１内に誘引されて、ダクト３内の空気Ａ１である調和空気は、誘引されたダクト３外の空気Ａ２とともに混合空気として吹き出される。これにより、混合空気の風量がさらに増大する。
【００３５】
また、ファン制御部１０は、室温センサ１１の検出値に基づいて、室温が目標温度となるように加圧ファン４の回転速度を制御する。これにより、ダクト３内の空気Ａ１の開口部５４および第２開口部５５からの噴射速度が制御されるため、ダクト３を介して搬送される調和空気の風量である空調風量、およびダクト３内の空気Ａ１の噴射により誘引されるダクト３外の空気Ａ２の風量である誘引風量が制御される。したがって、室温に見合った風量の送気を行って、室内Ｒの顕熱負荷を効率的に除去することが可能となり、省エネルギ化が図られる。
【００３６】
前記したように第１実施形態に係る空調システム１は、空気を供給する空調機２と、空調機２から供給される空気を搬送するためのダクト３と、ダクト３内の空気を加圧する加圧ファン４と、ダクト３の延在方向に沿って複数設けられ、ダクト３内の空気の噴射によりダクト３外の空気を誘引し、ダクト３内の空気を誘引されたダクト３外の空気とともに吹き出す誘引吹出口機構５とを備える。そして、誘引吹出口機構５は、ダクト３を貫通して配置される筒部５１を有し、筒部５１は、ダクト３内の空気Ａ１を筒部５１内に噴射させるための開口部５４を有している。
【００３７】
このような第１実施形態によれば、空調機２からダクト３を介して供給される調和空気の噴射力を利用して、筒部５１の上流側開口端からダクト３外の空気Ａ２である室内空気を誘引し、ダクト３内の空気Ａ１である調和空気を、誘引された室内空気とともに筒部５１の下流側開口端から吹き出すことができる。これにより、空調機２からの調和空気の供給量よりも多い風量の送気が可能となり、空気搬送動力が低減される。したがって、効率良く多風量の送気を行って容易に所望の空調環境を構築できる。
また、誘引吹出口機構５の筒部５１はダクト３を貫通して配置されているため、誘引吹出口機構５はダクト３の占有スペースの内部に配置されることになる。したがって、誘引吹出口機構５のための特別な設置スペースは不要である。
すなわち、効率良く多風量の送気を行うとともに、設置スペースの増大を抑制できる空調システム１を提供することができる。
【００３８】
また、第１実施形態では、筒部５１は、筒部５１の軸方向の一方の側に位置される第１筒５２と、筒部５１の軸方向の他方の側に位置される第２筒５３とを有し、開口部５４は、第１筒５２と第２筒５３との隙間に形成されている。このような構成によれば、ダクト３の延在方向と略直交する方向の両側からダクト３を挟み込むようにして、第１筒５２と第２筒５３とをダクト３の取付孔３５，３６にそれぞれ設置しつつ開口部５４を形成することができる。したがって、誘引吹出口機構５のダクト３への取付作業が容易となる。
【００３９】
また、第１実施形態では、筒部５１は、開口部５４よりも筒部５１内の空気の流れ方向の上流側に、ダクト３内の空気Ａ１を筒部５１内に噴射させるための第２開口部５５を有している。このような構成によれば、開口部５４のみならず第２開口部５５からの噴射によっても、ダクト３外の空気Ａ２である室内空気を筒部５１内に誘引することができ、混合空気の風量をさらに増大させることができる。
【００４０】
また、第１実施形態では、誘引吹出口機構５は、第２開口部５５の開口面積を調整する調整部６５を有している。このような構成によれば、第２開口部５５からのダクト３内の空気Ａ１の噴射量を調整することができ、これにより、混合空気の風量を調節することが可能となる。
【００４１】
≪第２実施形態≫
次に、図７を参照しながら本発明の第２実施形態について説明する。
図７は、本発明の送気システムの第２実施形態に係る空調システムの概略斜視図である。図１〜図６に示した第１実施形態と同様の構成及び作用は、第２実施形態に取り込まれるものとして詳細な説明を適宜省略する。
【００４２】
図７に示すように、第２実施形態に係る空調システム１ａでは、ダクト３の外表面３３（ここでは上面）に、ダクト３内の調和空気を噴出するノズル１２が設置されている点で第１実施形態と相違しており、他は第１実施形態と同様である。なお、ノズル１２の設置位置は、ダクト３の下面であってもよく、設置個数は適宜設定され得る。ノズル１２としては、空気を広角に噴出する拡散ノズル、周囲の空気を誘引して噴出する誘引ノズル等、各種のノズルが使用され得る。
【００４３】
このような第２実施形態によれば、前記した第１実施形態と同様の作用効果を奏することができることに加えて、ノズル１２により室内Ｒの空気を良好に掻き混ぜることが可能となる。これにより、より均一な空調環境を速やかに構築することができる。なお、ノズル１２による空気の噴出方向は、室内Ｒの状況に応じて調整されることが望ましい。
【００４４】
≪第３実施形態≫
次に、図８および図９を参照しながら本発明の第３実施形態について説明する。
図８は、本発明の送気システムの第３実施形態に係る空調システムの概略斜視図である。図９（ａ）（ｂ）は、図８に示されるダクトボックス間の接続構造の例を示す断面図である。図１〜図６に示した第１実施形態と同様の構成及び作用は、第３実施形態に取り込まれるものとして詳細な説明を適宜省略する。
【００４５】
図８に示すように、第３実施形態に係る空調システム１ｂでは、ダクト３ａは、該ダクト３ａの延在方向に沿って並んだ外観が立方体形状を呈する複数のダクトボックス（短部分）３８を有している。一つのダクトボックス３８には、誘引吹出口機構５がここでは一つ設けられているが、これに限定されるものではなく、２つ以上設けられていてもよい。また、ダクトボックス３８の外観は、立方体形状に限定されるものではなく、例えば直方体形状などの他の立体形状を呈していてもよい。
【００４６】
ダクトボックス３８は、ダクト３ａの延在方向に沿う軸Ｃのまわりで回転させられて軸Ｃのまわりの円周方向の角度位置が変更可能に構成されている。なお、誘引吹出口機構５からの空気の噴出方向が水平に対して角度を持つように傾けられたダクトボックス３８は、横バー１７から吊り部材１８ａにより吊り下げられて支持されている。
【００４７】
図９（ａ）に示すように、隣接するダクトボックス３８，３８間の接続構造１３は、相互に接続される２つのダクトボックス３８，３８の対向する面にそれぞれ形成された開口３８ａ，３８ａの外側において同軸位置に溶接等によりそれぞれ固定された略円筒形状を呈する一対の継手内筒１４，１４と、一対の継手内筒１４，１４の外周面側に配置される略円筒形状を呈する継手外筒１５とを備えている。継手内筒１４と継手外筒１５との間にはシール部材１６が装着されており、これにより、気密性が保持される。
【００４８】
なお、隣接するダクトボックス３８，３８間の接続構造は、図９（ａ）に示した構造に限定されるものではない。例えば、図９（ｂ）に示すように、隣接するダクトボックス３８，３８間の接続構造１３ａは、相互に接続される２つのダクトボックス３８，３８の対向する面にそれぞれ形成された開口３８ａ，３８ａの内側において同軸位置に溶接等によりそれぞれ固定された略円筒形状を呈する一対の継手外筒１５ａ，１５ａと、一対の継手外筒１５ａ，１５ａの内周面側に配置される略円筒形状を呈する継手内筒１４ａとを備えるように構成されてもよい。
【００４９】
このような第３実施形態によれば、前記した第１実施形態と同様の作用効果を奏することができることに加えて、ダクトボックス３８の軸Ｃのまわりの円周方向の角度位置を適宜変更することにより、室内Ｒの空気を良好に掻き混ぜることが可能となる。これにより、より均一な空調環境を速やかに構築することができる。なお、ダクトボックス３８の誘引吹出口機構５からの空気の噴出方向は、室内Ｒの状況に応じて調整されることが望ましい。
【００５０】
以上、本発明について実施形態に基づいて説明したが、本発明は前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００５１】
例えば、前記した実施形態では、誘引吹出口機構５は、その軸直角断面形状が円形を呈しているが、これに限定されるものではない。例えば図１０（ａ）〜（ｃ）に示すように、少なくとも一部の誘引吹出口機構５ａは、その軸直角断面形状が長円、楕円等の他の形状を呈していてもよい。
【００５２】
また、前記した実施形態では、誘引吹出口機構５は、ダクト３の延在方向に沿って一列に並んで複数配置されているが、これに限定されるものではなく、例えば図１０（ｄ）に示すように、例えば二列に並んで複数配置されていてもよい。この場合、ダクト３の延在方向における誘引吹出口機構５の位置は、列同士でずれていてもよいし（図１０（ｄ）参照、千鳥状配置）、ずれがなくてもよい。
【００５３】
また、図１１に示すように、誘引吹出口機構５は、ダクト３外の空気を筒部５１の上流側から筒部５１内に導入するための案内面を有するベルマウス８６を、筒部５１の上流側開口端に備えていてもよい。ベルマウス８６は、例えば断面が半円形状で全体としてリング状を呈している。このように構成すれば、ダクト３外の空気を筒部５１内に誘引する際の通気抵抗を低減することができる。
【００５４】
また、図１２に示すように、ダクト３の外表面３３に、ダクト３内の調和空気を筒部５１の上流側から下流側に向けて噴出する噴出ノズル８７が設置されてもよい。このように構成すれば、ダクト３外の空気を筒部５１内にさらに誘引することができ、混合空気の風量をより一層増大させることができる。
【００５５】
また、前記した実施形態では、ダクト３の延在方向に沿う軸は、直線であるが、本発明はこれに限定されるものではなく、曲線であってもよく、屈曲していてもよい。
【００５６】
また、前記した実施形態では、空気供給装置としての空調機２が冷房運転を行う場合について説明したが、本発明はこれに限定されるものではない。本発明は、空気供給装置が暖房運転、除湿運転、送風運転等を行う場合にも適用可能である。ここで、空気供給装置として、例えば既製のＰＡＣ（Package Air Conditioner）、ＡＨＵ（Air Handling Unit）等の空調・換気システムを利用することができる。
【符号の説明】
【００５７】
１，１ａ，１ｂ  空調システム（送気システム）
２      空調機（空気供給装置）
３，３ａ  ダクト
４    加圧ファン
５，５ａ  誘引吹出口機構
１２    ノズル
３３    外表面
３８    ダクトボックス（短部分）
５１    筒部
５２    第１筒
５３    第２筒
５４    開口部
５５    第２開口部
６５    調整部
Ａ１    ダクト内の空気
Ａ２    ダクト外の空気
Ｃ      軸
【図１】
2014035107.tif 000003
【図２】
2014035107.tif 000004
【図３】
2014035107.tif 000005
【図４】
2014035107.tif 000006
【図５】
2014035107.tif 000007
【図６】
2014035107.tif 000008
【図７】
2014035107.tif 000009
【図８】
2014035107.tif 000010
【図９】
2014035107.tif 000011
【図１０】
2014035107.tif 000012
【図１１】
2014035107.tif 000013
【図１２】
2014035107.tif 000014